(57)【要約】【課題】腕部の数を容易に変更することのできるハンドルを備えた魚釣用リールを提供すること【解決手段】釣糸を巻回保持するスプール１４をリール本体１２ａに支持し、リール本体１２ａの一側に回転可能に支持されたハンドル１６の回転で、リール本体内部に収容された巻取駆動機構を駆動させることで、スプール１４に釣糸を巻回する魚釣用リールにおいて、ハンドル１６を、それぞれが握持用摘手５０を取付けられた複数のハンドル腕部４４から形成し、これらのハンドル腕部４４の少なくとも１つを着脱可能に形成し、この着脱可能のハンドル腕部４４を取外したときに形成される空間部８６を、閉塞部材８８で閉塞可能とした魚釣用リール。【選択図】      図７
2006025762.tif 000002
【特許請求の範囲】
【請求項１】
釣糸を巻回保持するスプールをリール本体に支持し、リール本体の一側に回転可能に支持されたハンドルの回転で、リール本体内部に収容された巻取駆動機構を駆動させることで、前記スプールに釣糸を巻回する魚釣用リールにおいて、前記ハンドルは、それぞれが握持用摘手を取付けられた複数の腕部から形成され、これらの腕部の少なくとも１つは着脱可能に形成され、この着脱可能な腕部を取外したときに形成される空間部を、閉塞部材で閉塞可能としたことを特徴とする魚釣用リール。
【請求項２】
前記閉塞部材は、着脱可能な腕部に代えて取付けられたときに、この着脱可能な腕部を取外す前の強度を維持可能な強度を有することを特徴とする請求項１に記載の魚釣用リール。
【発明の詳細な説明】
【技術分野】
【０００１】
本発明は、魚釣用リールに関し、特に、リール本体に設けられたハンドルの回転操作により、スプールに釣糸が巻回される魚釣用リールに関する。
【背景技術】
【０００２】
従来、魚釣用リールは、釣竿に固定するための竿取付部を一体的に形成したリール本体にスプールを支持し、このリール本体の一側に回転可能に支持したハンドルを通じてこのリール本体内に組込んだ巻取り駆動機構を駆動することにより、スプールに釣糸を巻回保持するのが一般的である。
【０００３】
このようなハンドルは、リール本体に対してハンドルを回転可能に支持する回転軸から角度をなしてクランク状に延びる腕部を有し、この腕部の先端部に、釣糸を巻き取る際に釣り人が握持する摘手が回転自在に設けられている。釣糸をスプールに巻き取る際には、この腕部の先端に設けられた摘手を握持し、腕部および回転軸を介して巻取駆動機構を駆動し、スプール上に釣糸を巻回する。
【０００４】
このように巻取り駆動機構を駆動するハンドルは、遠くまで仕掛けを投擲することなく、例えば海上の船から仕掛けの重さ等で釣糸を繰出す釣法の場合には、腕部および摘手を一つのみ装着し、糸絡みを抑制しかつ軽量構造に形成される、いわゆるシングルハンドルが用いられる。
【０００５】
しかし、例えばルアーフィッシング等のように、仕掛けの投擲を頻繁に行い、あるいは、ハンドルの逆転を防止した状態でこのハンドルから手を離し、竿を大きく動かすことで仕掛けにアクションを与えるような釣法にシングルハンドルを装着した魚釣用リールを用いると、仕掛けの投擲時に、釣糸放出状態から釣糸巻取り状態への誤復帰が生じ、あるいは、仕掛けにアクションを与えるアクション動作時に、本来不要であるハンドルの動きが生じることが多い。このような誤復帰により、例えば仕掛けが所要の距離まで飛ばなかったり、あるいは、釣糸が切れる等のトラブルを誘発する虞がある。
【０００６】
このような不都合を改善するため、両軸リールの多くに一般的に用いられているように、回転軸から例えば２本である複数本の回転バランスの良好な腕部を延出させたいわゆるダブルハンドルを用いることにより、仕掛け投擲時の誤復帰を防止し、アクション動作時にハンドルが不意に回転するのを抑制する魚釣用スピニングリールも開発されている。このようなダブルハンドルには、腕部の長さが等しいもの（例えば特許文献１参照）だけでなく、腕部の長さおよび形状の異なるもの（例えば特許文献２参照）等、種々のものがある。このような魚釣用リールのハンドルは、その釣法の用途に応じて使い分けられる。
【特許文献１】特許第３１０４６８３号公報
【特許文献２】実開平４−９４９６９号公報
【発明の開示】
【発明が解決しようとする課題】
【０００７】
しかし、従来のダブルハンドルは、いずれも複数の腕部が一体に形成されているため、シングルハンドルとダブルハンドルとを使い分ける場合のように、腕部の数を変更しようとする場合には、双方のハンドルを予め釣人が保有する必要がある。特に、ハンドルは、腕部を回転軸に固定するための複数の部材からなるユニットで形成されているため、ハンドルユニットの単価が高く、このように複数のタイプのハンドルの保有コストが高くなる。
【０００８】
また、特許文献１に記載のような腕部の長さが等しいダブルハンドルと、特許文献２に記載のような腕部の長さおよび形状の異なるダブルハンドルとの双方を必要とする場合にも、複数のハンドルユニットを保有する以外には方法がなく、ユーザの負担が増大する。
【０００９】
一方、製造する際においても、シングルハンドル用とダブルハンドル用とのそれぞれの金型に加え、同じダブルハンドルであってもその構造の異なるもの毎に多数の金型を必要としており、製造コストの低減が困難である。更に、交換用あるいは修理用のいわゆるアフターパーツとして保管する場合にも、シングルハンドルおよびダブルハンドル等それぞれのタイプの全てを保管する必要があり、在庫数および保管スペースの観点からもコストの増大が避けられない。
【００１０】
本発明は、このような事情に基づいてなされたもので、腕部の数を容易に変更することのできるハンドルを備えた魚釣用リールを提供することを目的とする。
【課題を解決するための手段】
【００１１】
上記目的を達成するため、本発明によると、釣糸を巻回保持するスプールをリール本体に支持し、リール本体の一側に回転可能に支持されたハンドルの回転で、リール本体内部に収容された巻取駆動機構を駆動させることで、前記スプールに釣糸を巻回する魚釣用リールにおいて、前記ハンドルは、それぞれが握持用摘手を取付けられた複数の腕部から形成され、これらの腕部の少なくとも１つは着脱可能に形成され、この着脱可能な腕部を取外したときに形成される空間部を、閉塞部材で閉塞可能とした魚釣用リールが提供される。
【発明の効果】
【００１２】
本発明の魚釣用リールによると、少なくとも１つの腕部が着脱可能であることにより、腕部の数を容易に変更することができ、しかも、摘手を設けたこのような着脱可能な腕部のみを複数用意しておくだけで、回転軸に固定するための複数の部材を含めたユニットを複数保有する必要がなくなり、ユーザの負担が軽減される。
【００１３】
また、製造の際、例えば腕部の形状を同一に形成する場合は、１つの金型で、ハンドル腕部の数の変更に対応することが可能となり、アフターパーツとして保管する際においても、例えば一種類の腕部を保管するのみでシングルハンドルやダブルハンドルの在庫として対応可能となり、製造コストおよび保管コストを低減することができる。
【００１４】
特に、長さや形状が異なる複数の着脱可能な腕部を形成することで、例えば腕部の長さ違い、腕部の角度違い、腕部の数の変更等の様々な要求に対して対応可能であるため、従来の腕部の着脱が不可能なハンドルよりも低コスト化することができ、ユーザの負担を軽減することができる。
【００１５】
更に、着脱可能な腕部を取外したときに形成される空間部を、閉塞部材で閉塞可能としたことにより、このような空間部を介する水滴や塵埃の進入を効果的に抑制することができ、このため、空間部の腐食や塵埃の詰まりにより、腕部が着脱不能となるのを効果的に防止し、長期間にわたって、腕部の容易な着脱操作を維持することができる。
【００１６】
この閉塞部材が、着脱可能な腕部を取外す前の強度を維持可能な強度を有する場合には、腕部の数を変更したときに生じる空間部の影響による、残った腕部の強度低下を補うことができ、これにより、ハンドルの腕部の変形を効果的に抑制することができる。
【発明を実施するための最良の形態】
【００１７】
図１から図８は本発明の第１の実施形態を示す。これらの図に示すように、本実施形態の魚釣用スピニングリール１０は、剛性構造のリール本体１２ａと、リール本体１２ａから延出する脚部１２ｂと、脚部１２ｂの端部に形成され且つ釣竿に取り付けられる竿取付部１２ｃとを有している。リール本体１２ａ内には、スプール１４に釣糸を巻回するための巻取駆動機構が設けられている。具体的には、この巻取駆動機構は、リール本体１２ａ内に回転可能に支持され、ハンドル１６をリール本体１２ａに対して回転自在に支える回転軸１８（図２参照）を有する。この回転軸１８はドライブギア２０と一体構造に形成してあり、このドライブギア２０にはピニオンギア２２が噛合している。
【００１８】
ピニオンギア２２は、回転軸１８に対して直交する方向に延び且つリール本体１２ａに２つの軸受２４（１つのみを示す）を介して回転可能に支持された軸筒（回転軸筒）２６に設けられている。また、軸筒２６の先端部には、ベール２８および釣糸案内部３０を備えたロータ３２が一体的に取り付けられている。この軸筒２６を、回転軸１８と直交する方向に延在するスプール軸３４が貫通している。このスプール軸３４は、軸筒２６と同心的に配されており、オシレーティング機構３６により、回転軸１８と直交する方向すなわち筒軸２６の軸方向にに沿って軸筒２６内を前後動することができる。このスプール軸３４の先端部に、釣糸が巻回されるスプール１４が取り付けられる。
【００１９】
オシレーティング機構３６は、回転軸１８と一体回転する歯車１９に噛合する連動歯車３８を有するいわゆるギヤ方式のものであり、連動歯車３８に突設され且つ連動歯車３８の回転中心軸から偏心して位置する係合突起（図示しない）を、スプール軸３４の後端部に取り付けられた摺動子４０のカム溝（図示しない）に係合させ、連動歯車３８が回転したときに、摺動子４０を図示しないガイドレールに沿って前後方向に案内することができる。このようなオシレーティング機構３６は、回転軸１８がハンドル１６の回転操作によって回転されると、回転軸１８上の歯車１９と噛み合う連動歯車３８が回転し、それに伴って、連動歯車３８の係合突起が回転すると共に、この係合突起に係合するカムの案内によって摺動子４０が前後に往復動する。したがって、摺動子４０に取り付けられたスプール軸３４が軸方向に沿って往復駆動（前後動）する。
【００２０】
このように形成された魚釣用スピニングリール１０は、ハンドル１６を回転操作して回転軸１８を回転させると、オシレーティング機構３６を介してスプール軸３４に取り付けられたスプール１４が前後に往復動するとともに、ドライブギア２０、ピニオンギア２２、軸筒２６を介してロータ３２が回転駆動する。これにより、スプール１４には、釣糸案内部３０を介して、釣糸が均等に巻回される。
【００２１】
なお、リール本体１２ａ内には、ロータ３２の逆回転（釣糸をスプールから繰出す方向の回転）を防止する周知の一方向クラッチを備えた逆転防止機構が配置されており、この逆転防止機構を、リール本体１２ａの後端壁部に設けた切換レバー４２を通じて切換操作し、ロータ３２が正逆転可能な状態と、正転可能でかつ逆転不能の状態とに切換えることができる。ロータ３２がいずれの状態にあっても、ハンドル１６を正転方向（釣糸をスプールに巻き取る方向の回転）に回転すると、図示しない復帰機構を介して、釣糸放出位置にあるベール２８は、図１に示す釣糸巻取位置に復帰することができる。
【００２２】
図１および図２に示すように、このような巻取駆動機構の回転軸１８を回転する本実施形態のハンドル１６は、少なくとも一方が着脱可能な腕部である２つのハンドル腕部４４，４４を備えたダブルハンドルとして形成してあり、締結装置４６を介して回転軸１８に取外し可能に固定される。本実施形態のハンドル腕部４４，４４は、互いに同一構造の独立しかつ着脱可能な腕部として形成してあり、締結装置４６を介して回転軸１８に取付けられて一体化され、ユニット構造のハンドル１６を形成する。
【００２３】
各ハンドル腕部４４は、締結装置４６で一体化される基端部４８と、釣り人が指で握持する摘手であるツマミ部５０を回転自在に設けられた先端部５２とを有し、この先端部５２から離隔した基端部４８まで、回転軸１８の軸線に近づくにつれてリール本体１２ａの側方に沿って滑らかに湾曲した非直線構造に形成してあり、基端部４８が最もリール本体１２ａに近接し、先端部５２が最もリール本体１２ａから離隔した位置に配置される。これに代え、先端部５２が基端部４８よりもリール本体１２ａに近接する状態に湾曲させ、あるいは、一体化したときに２つのハンドル腕部４４が１本の棒状となるように直線状に形成してもよい。また、各ハンドル腕部４４は、一方のツマミ部５０を握持してハンドル１６を回転する際に、他方のツマミ部５０と干渉しない長さに形成するのが好ましい。いずれの場合も、各ハンドル腕部４４は、後述する基端部４８を除き、長さや形状等の異なる様々なタイプの組合せが可能である。
【００２４】
図３から図６に示すように、各ハンドル腕部４４の基端部４８は滑らかに拡径あるいは膨出した膨大部として形成し、先端部５２から最も離隔した位置の端面４８ａと、リール本体１２ａに近接する底面４８ｂとを平坦面に形成してある。更に、各底面４８ｂからは、図５に示すような半円筒状の突出部５４が突出し、これらの突出部５４の先端面と基端部４８の端面４８ａとに開口する溝部５６が各基端部４８に形成される。これらの突出部５４を、端面４８ａに垂直でかつ底面４８ｂに平行に延びる貫通孔５８が貫通する。
【００２５】
このように形成した各ハンドル腕部４４は、それぞれの基端部４８の端面４８ａ同士を当接させ、底面４８ｂを面一状に整合させたときに、各基端部４８の溝部５６が互いに整合して断面矩形の有底孔を形成し、各基端部４８の貫通孔５８が互いに同軸状に整合した状態に配置される。これらの整合した貫通孔５８には、ピン６０が挿入される。このピン６０は、貫通孔５８内に挿入されたときに、突出部５４の側面部から突出しない長さに形成される。
【００２６】
図４から図６に示すように、各ハンドル腕部４４を一体化する締結装置４６は、巻取駆動機構の回転軸１８（図２参照）に一端が連結されるハンドル軸６２と、このハンドル軸６２の他端に螺合される締付け部材６４とを有する。本実施形態のハンドル軸６２は、回転軸１８に螺合する雌ネジ６６を一端に有し、他端には雄ネジ６８と、この雄ネジ６８から軸方向に突出する突起部７０とを有する。この突起部７０は、各ハンドル腕部４４の端面４８ａ，４８ａを当接させたときに溝部５６，５６が形成する有底孔内に嵌合する寸法に形成され、これらの溝部５６，５６の底壁に対向する一対の平坦面７０ａと、これらの平坦面間を貫通し、ハンドル腕部４４の貫通孔５８と整合して上述のピン６０が挿入される貫通孔７２とが設けられている。ピン６０をこれらの突起部７０の貫通孔７２と、ハンドル腕部４４の２つの貫通孔５６とに挿通するため、雄ネジ６８は、これらの突起部７０を締付け部材６４から充分に突出することのできる長さにわたって形成されている。
【００２７】
なお、このハンドル軸６２の一端に形成された雌ネジ６６は、径の異なる２つのネジ部６６ａ，６６ｂ（図６参照）を軸方向に沿って併設してあり、回転軸１８の両端部に形成された径の異なる双方の雄ネジと螺合することができ、したがって、ハンドル１６をリール本体１２ａの左右のいずれの側にも取り付けることができる。このハンドル軸６２と巻取駆動機構の回転軸１８とは、通常と同様に、ハンドル１６を正転方向に回転したときに締付ける方向に形成されている。
【００２８】
ハンドル軸６２に螺合する締付け部材６４は、ハンドル軸６２を収容するスリーブ状に形成され、リール本体１２ａに近接する一端側は、リール本体１２ａ側から回転軸１８の周部から突出する円形突条１７（図２参照）よりも大径の拡径開口部７４を形成してあり、ハンドル軸６２を回転軸１８に装着したときに、突条１７を覆って不必要に異物が浸入するのを防止する。また、締付け部材６４の他端側に形成した端壁部７５には、各ハンドル腕部４４の基端部４８に形成した２つの突出部５４をピン６０と共に収容する断面円形状の凹部７６を形成し、この凹部７６の底壁部に開口して、ハンドル軸６２の雄ネジ６８に螺合する雌ネジ７８が、端壁部７５を貫通して形成される。この凹部７６は締付け部材６４の端面７７で外方に開口しており、その深さすなわち軸方向寸法は、突出部５４の突出長さよりも大きく、後述すように突出部５４を収容したときに、この突出部５４の先端面と凹部７６の底壁部との間に僅かな間隙が形成される。
【００２９】
更に、ハンドル腕部４４に対して締付け部材６４が回転するのを防止するため、締付け部材６４の端壁部７５には、回り止めネジ８０を挿通する例えば６つの軸方向孔８２が等間隔に形成され、ハンドル腕部４４の基端部４８に形成されてこの底面４８ａに開口する例えば４つのネジ孔８４が等間隔に設けられ、互いに軸方向に整合した軸方向孔８２とネジ孔８４とを通して、回り止めネジ８０を螺合することができる。これらの軸方向孔８２とネジ孔８４とは、図示の数に限らず適宜の数とすることが可能であり、回り止めネジ８０も１本に限らず適宜本数を設けることもできる。
【００３０】
このようなハンドル１６を締結装置４６で一体的に組立てる場合は、ハンドル軸６２の雄ネジ６８を締付け部材６４の雌ネジ７８に螺合し、突起部７０を凹部７６から外方に突出させる。一方、各ハンドル腕部４４の基部４８を、その端面４８ａ同士を当接させ、溝部５６，５６で形成した有底孔内にハンドル軸６２の突起部７０を挿入し、溝部５６，５６の底壁部を貫通する貫通孔５８と突起部７０の貫通孔７２とを同軸状に整合させる。これらの同軸状に整合した貫通孔５８，７２内に、ピン６０を挿入し、ハンドル軸６２に対して締付け部材６４を回転しつつハンドル腕部４４側に移動する。２つの突出部５４が組合わされて円筒状の外面を形成し、ピン６０の端部がこの突出部５４の外周面から突出しないため、これらの突出部５４とピン６０とは締付け部材６４の凹部７６内に収容され、図４に示すように、締付け部材６４の端面７７がハンドル腕部４４の基端部４８の底面４８ｂと当接する。
【００３１】
図４の状態から締付け部材６４を更に締付けると、ピン６０を介して突出部５４が凹部７６の底面に向けて付勢され、一方、突出部５４の外方の底面４８ａが締付け部材６４の端面７７で逆方向に付勢される。したがって、２つのハンドル腕部４４は、この締結装置４６のハンドル軸６２と締付け部材６４との強固な締付け力で一体化される。このように強固な一体構造に形成されたハンドル１６は、回り止めネジ８０で回り止めを施された後、ハンドル軸６２の雌ネジ６６を回転軸１８の左右の側の端部のうち所要の側の端部に螺合し、リール本体１２ａ内に設けられた巻取駆動機構に装着される。ハンドル軸６２および回転軸１８の軸線を中心として、その両側でバランスされる。なお、ハンドル軸６２は回転軸１８の延長部として機能するものであるため、回転軸１８をリール本体１２ａから十分な長さにわたって一体的に突出形成させる場合、及び、左右変換可能としない場合には、別部材のハンドル軸６２を省略可能なことは明らかである。
【００３２】
図７は、上述のようにダブルハンドルとして組立てたハンドル１６を、シングルハンドルに変換する状態を示す。  
組立てる場合とは逆に、回り止めネジ８０を外した後、締結装置４６の締付け部材６４をハンドル軸６２に対して後退させ、凹部７６からハンドル腕部４４の突出部５４およびハンドル軸６２の突起部７０を突出する。ピン６０を突出部５４の貫通孔５８から抜出し、一方のハンドル腕部４４を取外す。そして、図７の（Ａ）に示すように、取外したハンドル腕部４４の基端部４８が占めていた部分が形成する空間部８６に、閉塞部材８８を装着する。
【００３３】
本実施形態の閉塞部材８８は、ハンドル腕部４４の膨大部として形成された基部４８の外面と連続する滑らかな球面状の湾曲外面を有し、残ったハンドル腕部４４の端面４８ａに当接する端面８８ａと、締付け部材６４の端面７７に当接する底面８８ｂとが平坦面として形成されている。更に、この底面８８ｂからは、突出部５４と同様な半円筒状の突出部９０が突出し、溝部５６と共に有底孔を形成してハンドル軸６２の突起部７０を収容する溝部９４が端面８８ａと突出部９０の先端面とに開口する。更に、ピン６０を挿通する貫通孔９２が、端面８８ａに垂直でかつ底面８８ｂに平行な方向に延びる。
【００３４】
この閉塞部材８６は、ハンドル腕部４４の基端部４８と同様な材料で形成することが好ましいが、シングルハンドルとして形成したハンドル１６のガタ付きを防止できる強度を有し、水や塵埃等の異物の進入を阻止できるものであれば適宜の材料で形成することができる。好ましい材料としては、Ａｌ，Ｍｇ，ＳＵＳ，Ｔｉ等の金属や、カーボンやガラスの繊維が混入された繊維強化樹脂、ＡＢＳやポリカーボネイト等の高強度樹脂等、強度を維持することが可能な材料が適している。
【００３５】
このような閉塞部材８８により、ハンドル腕部４４を取外したときに形成される空間部８６を閉塞することにより、２つのハンドル腕部４４と締結装置４６とでダブルハンドルのハンドル１６を組立てる場合と同様に、図７の（Ｂ）に示すように、１つのハンドル腕部４４と締結装置４６とで簡単にシングルハンドルのハンドル１６を組立てることができる。なお、回り止めネジ８０を１本のみ用いる場合は、締結装置４６の軸方向孔８２を通してハンドル腕部４４のネジ孔８４に螺合することが好ましい
図８は、ハンドル１６を２本のハンドル腕部４４を取付けてダブルハンドルに形成した状態（Ａ）と、一方のハンドル腕部４４を閉塞部材８８と交換してシングルハンドルに形成した状態（Ｂ）とを示す。一方のハンドル腕部４４と閉塞部材８８とを交換するだけで、必要に応じて、いずれのタイプのハンドル１６にも迅速かつ簡単に変換することができる。
【００３６】
図９は変形例によるハンドル１６Ａを示す。この変形例では、ハンドル腕部４４Ａの数を１本から３本まで自由に変換することができると共に、２本のハンドル腕部４４Ａからなるダブルハンドルとする場合には、これらのハンドル腕部４４Ａ間の配置角度を変更することもできる。
【００３７】
すなわち、図９の（Ａ）は、３本のハンドル腕部４４Ａを締結装置４６Ａで一体化した状態を示す。同図の（Ｂ）および（Ｃ）は１本のハンドル腕部４４Ａを取外し、２本のハンドル腕部４４Ａを用いた状態を示し、同図の（Ｄ）は２本のハンドル腕部４４Ａを取外し、１本のハンドル腕部４４Ａを備えたシングルハンドルに変換した状態を示す。
【００３８】
空間部を閉塞する閉塞部材９８は、図９の（Ｂ）に示すよううに、取外したハンドル腕部４４Ａの基端部４８が占めていた部分と同じ形状に形成し、あるいは、同図の（Ｃ）に示す閉塞部材９８Ａのように基端部４８の占めていた空間部の半分の大きさに形成することもできる。閉塞部材９８Ａのように、閉塞する空間部を分割した形状および大きさの複数の閉塞部材９８Ａを形成することにより、残ったハンドル腕部４４Ａ間の角度を適宜に変更することができる。図９の（Ｄ）に示す閉塞部材９８Ｂについても、１つの閉塞部材で形成することに代え、例えば同図の（Ｃ）に示すように空間部を分割した形状および大きさの複数の閉塞部材９８Ａを用いることも可能である。
【００３９】
なお、これらの閉塞部材９８，９８Ａ，９８Ｂは、着脱が容易にできるものであれば、例えば取付けネジを用いる等適宜の手段を用いることが可能である。
【００４０】
このようなハンドル１６，１６Ａを備えることにより、魚釣用リール１０のハンドル１６，１６Ａのハンドル腕部４４，４４Ａの数を容易に変更することができ、しかも、摘手５０を設けたこのような着脱可能なハンドル腕部４４，４４Ａを複数用意しておくだけで、回転軸１８に固定するための締結装置４６，４６Ａを含めたユニットを複数保有する必要がなく、ユーザの負担が軽減される。
【００４１】
また、製造の際、例えばハンドル腕部４４，４４Ａのそれぞれの形状を同一に形成する場合は、１つの金型で、ハンドル腕部４４，４４Ａの数の変更に対応することが可能となり、アフターパーツとして保管する際においても、例えば一種類のハンドル腕部４４，４４Ａを保管するのみでシングルハンドルやダブルハンドル等の種々のタイプのハンドルの在庫として対応可能となり、製造コストおよび保管コストを低減することができる。
【００４２】
特に、長さや形状が異なる複数の着脱可能なハンドル腕部４４，４４Ａを形成することで、例えばハンドル腕部４４，４４Ａの長さ違い、ハンドル腕部４４，４４Ａの回転軸１８に対する角度違い、ハンドル腕部４４，４４Ａの数の変更等の様々な要求に対して対応することが可能となり、従来のハンドル腕部の着脱が不可能なハンドルよりも低コスト化することができ、ユーザの負担を軽減することができる。
【００４３】
更に、着脱可能なハンドル腕部４４，４４Ａを取外したときに形成される空間部８６を、閉塞部材８８，９８，９８Ａ，９８Ｂで閉塞可能としたことにより、このような空間部８６を介する水滴や塵埃の進入を効果的に抑制することができ、このため、空間部８６の腐食や塵埃の詰まりにより、ハンドル腕部４４，４４Ａが着脱不能となるのを効果的に防止し、長期間にわたって、ハンドル腕部４４，４４Ａの容易な着脱操作を維持することができる。
【００４４】
この閉塞部材８８，９８，９８Ａ，９８Ｂが、着脱可能なハンドル腕部４４，４４Ａを取外す前の強度を維持可能な強度を有する場合には、ハンドル腕部４４，４４Ａの数を変更したときに生じる空間部８６の影響による、残ったハンドル腕部４４，４４Ａの強度低下を補うことができ、これにより、ハンドル１６，１６Ａのハンドル腕部４４，４４Ａの変形を効果的に抑制することができる。
【００４５】
なお、ハンドル腕部４４，４４Ａの数は上述のように２本あるいは３本に限るものではなく、それ以上のハンドル腕部を有するハンドルを用いる可能である。
【図面の簡単な説明】
【００４６】
【図１】本発明の好ましい実施形態による魚釣用リールの側面図。
【図２】図１に示す魚釣用リールの一部を欠截した状態で示す後方からの断面図。
【図３】図１に示す魚釣用リールのハンドルの基端部を示し、（Ｂ）は（Ａ）のＢ−Ｂ線に沿う図。
【図４】ハンドル腕部を締結装置で結合した状態の断面図。
【図５】２つのハンドル腕部の結合直前の状態を示し、それぞれ図４のＡ−Ａ線およびＢ−Ｂ線に沿う図。
【図６】ハンドル腕部と締結装置との分解図。
【図７】一方のハンドル腕部を取外し、閉塞部材を取付ける状態を示す説明図。
【図８】２つのハンドル腕部を用いた状態と、１つのハンドル腕部用いた状態とを示すハンドルの説明図。
【図９】３本のハンドル腕部と閉塞部材との組合せにより種々のタイプのハンドルに変換する状態の説明図。
【符号の説明】
【００４７】
１０…魚釣用リール、１２ａ…リール本体、１４…スプール、１６…ハンドル、１８…回転軸、４４…ハンドル腕部、８８…閉塞部材。
【図１】
2006025762.tif 000003
【図２】
2006025762.tif 000004
【図３】
2006025762.tif 000005
【図４】
2006025762.tif 000006
【図５】
2006025762.tif 000007
【図６】
2006025762.tif 000008
【図７】
2006025762.tif 000009
【図８】
2006025762.tif 000010
【図９】
2006025762.tif 000011